(57)【要約】【課題】定尺横葺き屋根材を用いて波形スレート屋根の補修を行うことを可能とする。【解決手段】スレート屋根10の表面に、複数枚の定尺横葺き屋根材50を、屋根の軒先側から頂部に向けて順に固定していく屋根補修工法。下地取付サドル12を複数準備すると共に、縦下地材40をも複数準備し、スレート屋根10の各フックボルト30に下地取付サドル12の貫通孔19を挿通させ、その先端にプッシュナット31を装着することによって、各下地取付サドル12をスレート屋根10上に固定する。つぎに、上方の下地取付サドル12と下方の下地取付サドル12間に、それぞれ縦下地材40を配置すると共に、各縦下地材40の両取付縁部44と各下地取付サドル12間を固定し、横方向に配列された複数本の縦下地材40上に、定尺横葺き屋根材50を載置固定する。【選択図】図６
2017227082.tif 000002
【特許請求の範囲】
【請求項１】
波形のスレート板を複数固定したスレート屋根の表面に、複数枚の定尺横葺き屋根材を、屋根の軒先側から頂部に向けて順に固定していく屋根補修工法であって、
貫通孔が形成された平面部を少なくとも有する下地取付サドルを複数準備し、
また、比較的長尺な上板と、この上板の両長辺に接続された一対の側板と、各側板に接続された一対の取付縁部を備えた縦下地材を複数準備し、
上記スレート屋根の表面から外部に突出した複数のフックボルトに対して、上記下地取付サドルの貫通孔を挿通させると共に、その先端にプッシュナットを装着することによって、各下地取付サドルをスレート屋根上に固定し、
スレート屋根の上方に位置する下地取付サドルと下方に位置する下地取付サドル間に、それぞれ上記縦下地材を配置すると共に、各縦下地材の両取付縁部と各下地取付サドル間を固定し、
相互に所定の間隔をおいて横方向に配列された複数本の縦下地材上に、上記定尺横葺き屋根材を載置固定することを特徴とする屋根補修工法。
【請求項２】
上記縦下地材の各取付縁部に形成された貫通孔と、上記下地取付サドルに形成された貫通孔とを連通させた状態で、両貫通孔間をロックリベットを介して固定することを特徴とする請求項１に記載の屋根修理工法。
【請求項３】
上記の下地取付サドルは、スレート屋根の波の両側面に接するための一対の脚部を備えていることを特徴とする請求項１または２に記載の屋根修理工法。
【請求項４】
スレート屋根の下方に配置固定された縦下地材の上端部に、他の縦下地材を縦に連結配置するに際し、
下方の縦下地材の上端部と、上方の縦下地材の下端部とを重ね合わせ、両者の各取付縁部間を固定することを特徴とする請求項１〜３の何れかに記載の屋根修理工法。
【請求項５】
スレート屋根の一対の波の側面間に載置される下板と、所定の間隔を隔てて下板と並行配置された上板と、下板及び上板間を繋ぐ受け板を備えた断面エ字形状のジョイナーを、スレート屋根の波に沿って配置し、
一方の定尺横葺き屋根材の端面を、上記受け板の一面に当接させると共に、横方向に隣接配置された他方の定尺横葺き屋根材の端面を、上記受け板の他面に当接させることを特徴とする請求項１〜４の何れかに記載の屋根修理工法。
【発明の詳細な説明】
【技術分野】
【０００１】
この発明は屋根補修工法に係り、特に、波形スレート屋根の補修に際し、定尺の横葺き金属板を屋根材として利用可能とする工法に関する。
【背景技術】
【０００２】
工場や倉庫、体育館等の大型の建物の屋根材として、波形のスレート板が広く用いられるようになって久しく、老朽化したスレート板を取り外すことなく屋根全体を補修する技術も種々実用化されている。
例えば、特許文献１においては、スレート屋根の表面上に突出したフックボルトの座金とスレート板との間にクランプ金具を打ち込み装着した上で、スレート屋根上に波形鋼板よりなる複数枚の金属板屋根材を被せ、これらをクランプ金具にネジ止めする屋根補修工法が開示されている。
【０００３】
この屋根補修工法の場合、スレート屋根全体を新たな金属板屋根材で覆うことが基本となるため、建物の使用を中断させる必要が無く、また金属板屋根材は屋根の表面に突出した既設のフックボルトにクランプ金具を介して係合されるため、スレート屋根に穴開け等の加工を施す必要がないという利点を備えている。
【０００４】
【特許文献１】特開平１０−２１９９３６号
【非特許文献１】屋根材  RL 横葺 191型インターネットURL：http://kensetsu.ipros.jp/product/detail/1359835008?hub=39+%25E6%25A8%25AA%25E8%2591%25BA検索日：平成２８年６月１３日
【非特許文献２】スレート屋根改修のご提案インターネットURL：http://www.kinzoku-yane.or.jp/roof_repair/pdf/roof_repair-201005.pdf検索日：平成２８年６月１３日
【発明の概要】
【発明が解決しようとする課題】
【０００５】
ところで、このような波形スレート屋根の従来の補修工法の場合、波形鋼板の波の列とスレート屋根の波の列を平行に配置する所謂「縦葺き」を前提としており、現場において波形鋼板を必要な寸法に加工する手間がかかっていた。
【０００６】
これに対し、非特許文献１に示すように、波形スレート屋根以外の屋根の補修工事においては、所謂「定尺横葺き屋根材」が従来から利用されていた。
これは、横方向に長い一定の寸法を備えた平板状の金属板屋根材を、ブロック玩具の要領で屋根の軒先側から順に組み上げていくものであり、現場における加工が少なくて済むため、比較的簡便に広い面積の補修が可能となる利点を備えている。
【０００７】
また、スレート屋根の補修工事においては、作業者の踏み抜き事故を防止する観点から、セイフティシートと称する鋼板をスレート屋根の上に設置して安全作業床を形成し、その上を作業員に移動させるようにすることが不可欠であるが（非特許文献２参照）、横葺き工法の場合には設置した屋根材自体がセイフティシートとして機能するため、屋根材以外の鋼板をスレート屋根上に設置する必要がなくなる利点も期待できる。
【０００８】
しかしながら、波形スレート屋根上に横に長く縦に短い平板状の定尺横葺き屋根材を安定的に設置していくには、縦方向（スレート屋根の波の列と平行する方向）に延びる複数本の下地材を一定間隔で設置する必要があり、このための有効な固定手段が存在しなかったため、波形スレート屋根の補修用屋根材として、定尺横葺き屋根材は利用されてこなかった。
【０００９】
この発明は、このような従来の問題を解決するために案出されたものであり、定尺横葺き屋根材を用いて波形スレート屋根の補修を行うことを可能とする技術を提供することを目的としている。
【課題を解決するための手段】
【００１０】
上記の目的を達成するため、請求項１に記載した屋根補修工法は、波形のスレート板を複数固定したスレート屋根の表面に、複数枚の定尺横葺き屋根材を、屋根の軒先側から頂部に向けて順に固定していく屋根補修工法であって、貫通孔が形成された平面部を少なくとも有する下地取付サドルを複数準備し、また、比較的長尺な上板と、この上板の両長辺に接続された一対の側板と、各側板に接続された一対の取付縁部を備えた縦下地材を複数準備し、上記スレート屋根の表面から外部に突出した複数のフックボルトに対して、上記下地取付サドルの貫通孔を挿通させると共に、その先端にプッシュナットを装着することによって、各下地取付サドルをスレート屋根上に固定し、スレート屋根の上方に位置する下地取付サドルと下方に位置する下地取付サドル間に、それぞれ上記縦下地材を配置すると共に、各縦下地材の両取付縁部と各下地取付サドル間を固定し、相互に所定の間隔をおいて横方向に配列された複数本の縦下地材上に、上記定尺横葺き屋根材を載置固定することを特徴としている。
【００１１】
また、請求項２に記載した屋根補修工法は、請求項１の工法を前提とし、さらに、上記縦下地材の各取付縁部に形成された貫通孔と、上記下地取付サドルに形成された貫通孔とを連通させた状態で、両貫通孔間をロックリベットを介して固定することを特徴としている。
【００１２】
請求項３に記載した屋根補修工法は、請求項１または２の工法を前提とし、さらに上記の下地取付サドルが、スレート屋根の波の両側面に接するための一対の脚部を備えていることを特徴としている。
【００１３】
請求項４に記載した屋根補修工法は、請求項１〜３の工法を前提とし、さらに、スレート屋根の下方に配置固定された縦下地材の上端部に、他の縦下地材を縦に連結配置するに際し、下方の縦下地材の上端部と、上方の縦下地材の下端部とを重ね合わせ、両者の各取付縁部間を固定することを特徴としている。
【００１４】
請求項５に記載した屋根補修工法は、請求項１〜４の工法を前提とし、さらに、スレート屋根の一対の波の側面間に載置される下板と、所定の間隔を隔てて下板と並行配置された上板と、下板及び上板間を繋ぐ受け板を備えた断面エ字形状のジョイナーを、スレート屋根の波に沿って配置し、一方の定尺横葺き屋根材の端面を、上記受け板の一面に当接させると共に、横方向に隣接配置された他方の定尺横葺き屋根材の端面を、上記受け板の他面に当接させることを特徴としている。
【発明の効果】
【００１５】
請求項１に記載した屋根補修工法にあっては、スレート屋根の表面から外部に突出している既設のフックボルトに下地取付サドルを取り付けると共に、これらの上に複数の縦下地材を配置固定する方式を採用しているため、複数の定尺横葺き屋根材を波形スレート屋根の軒先側から頂部に向けて順に敷設することを可能としている。
【００１６】
請求項２に記載した屋根修理工法によれば、縦下地材と下地取付サドル間が極めて簡便に固定可能となる。
【００１７】
請求項３に記載した屋根修理工法によれば、下地取付サドルを波形のスレート屋根に取り付けた際に、その姿勢を安定化させることが可能となる。
【００１８】
請求項４に記載した屋根修理工法によれば、比較的短い縦下地材を縦方向に連結させることにより、より広いスレート屋根の表面を定尺横葺き屋根材で覆うことが可能となる。
【００１９】
請求項５に記載した屋根修理工法によれば、横方向に隣接配置された定尺横葺き屋根材の端面間が直に接触することなく、ジョイナーを介して受け止めることが可能となり、美観の向上に資する。
【発明を実施するための最良の形態】
【００２０】
以下、図面に基づいて、この発明に係る屋根補修工法の各工程について説明する。
まず、図１に示すように、複数の波形スレート屋根材を敷設したスレート屋根10の表面に、複数の下地取付サドル12と、ジョイナー14を配置させる。
【００２１】
下地取付サドル12は、必要形状に切り出した金属板にプレス加工を施すことよって形成されており、図２に示すように、一対の脚部15, 15と、両脚部15, 15を繋ぐ矩形状の第１の平板部16と、第１の平板部16と接続された矩形状の第２の平板部17を備えている。
各脚部15, 15の下端には、やや外側に開いた折曲部18, 18が形成されている。
第１の平板部16には、貫通孔19が形成されている。
また、第２の平板部17にも、一対の貫通孔20, 20が形成されている。
【００２２】
この下地取付サドル12は、図３に示すように、スレート屋根10の波の頂部から突出した既設のフックボルト30を、第１の平板部16の貫通孔19に挿通させ、その先端にプッシュナット31を装着することにより、スレート屋根10の上に固定される。
この際、上記の各折曲部18, 18がスレート屋根10の波の側面に密着するため、下地取付サドル12の姿勢が安定化される。
フックボルト30は、屋根の母屋32（図１）にスレート屋根材を係合するためのものであり、その先端には座金33が挿通されると共に、ナット34が螺合されている。
【００２３】
下地取付サドル12は、最初からスレート屋根10の全てのフックボルト30に装着されることはなく、この段階では下（軒先）から２列目までのフックボルト30に対して装着される。
この作業は、スレート屋根10の軒先近傍に組み上げられた足場35に立って実施される。
【００２４】
上記ジョイナー14は、アルミニウム等よりなる比較的長い寸法の棒材であり、スレート屋根10の波に沿って載置されており、特に固定はされていない（詳細は後述）。
【００２５】
つぎに、図４に示すように、下から１列目と２列目のフックボルト30に装着された一対の下地取付サドル12, 12間に、縦下地材40が固定される。
縦下地材40は、図５に示すように、長方形状の縦長平板をプレス加工することによって形成されており、上板42と、一対の側板43と、一対の取付縁部44を備えている。
この縦下地材40は、めっき鋼板等の錆びにくい金属材よりなる。
【００２６】
各取付縁部44には、それぞれ貫通孔45が形成されており、縦下地材40を下地取付サドル12の第２の平板部17に載置した後、それぞれの貫通孔45, 20間をロックリベット46で固定することにより、縦下地材40の上端側が下地取付サドル12に取り付けられる。ロックリベット46で固定する代わりに、スポット溶接によって固定することもできる。
縦下地材40の下端側も、上記と同様の方法で下地取付サドル12に固定される。
【００２７】
つぎに、図６に示すように、一定の間隔を置いて横方向に並列配置された複数本の縦下地材40上に、定尺横葺き屋根材50が載置・固定される。
図においては、図示の便宜上、定尺横葺き屋根材50の一部を切り欠いた状態が示されている。
【００２８】
定尺横葺き屋根材50は、例えば横４ｍ×縦30cmの横長寸法を備えた金属板よりなる本体部52と、本体部52の上端側を前後に複数回折り曲げて形成した上端係合部53と、本体部52の下端側を前後に複数回折り曲げて形成した下端係合部54とを備えている。
【００２９】
そして、図７(a)及び(b)に示すように、軒先側に配置された定尺横葺き屋根材50の上端係合部53に、一つ上の段に配置された別の定尺横葺き屋根材50の下端係合部54を嵌合させることにより、相互に連結される。
【００３０】
まず、定尺横葺き屋根材50の上端係合部53には、ネジ止め用の平面部55が形成されており、この平面部55と縦下地材40の上板42との間がテクスビス56を介してネジ止めされる（図７(a)）。
つぎに、この定尺横葺き屋根材50の上端係合部53に対して、別の定尺横葺き屋根材50の下端係合部54を被せることにより、両者間が係合される（図７(b)）。
この別の定尺横葺き屋根材50の上端係合部53も、上記と同様の手順により、縦下地材40の上板42にネジ止めされる。
【００３１】
なお、最も軒先側に配置された定尺横葺き屋根材50は、設置後にその下端部分が切断された後、適宜折り曲げ加工が施されることにより、軒先水切58となされる（図６）。
【００３２】
図８には、スレート屋根10の波の頂上に位置するフックボルト30に下地取付サドル12がプッシュナット31を介して固定され、その上に縦下地材40がロックリベット46を介して固定され、さらにその上に定尺横葺き屋根材50がテクスビス56を介して固定される様子が示されている。
【００３３】
また、図９は、一方の定尺横葺き屋根材50の右端と、隣接する他方の定尺横葺き屋根材50の左端とが、ジョイナー14の受け板60に当接している様子を示す拡大図である。
ジョイナー14は、図示の通り、下板61と、上板62と、下板61及び上板62間を繋ぐ受け板60を備えた断面「エ」字形状を備えており、下板61はスレート屋根10の波と波の間に載置されている。
【００３４】
つぎに、図１０に示すように、スレート屋根10の軒先から３列目に並んだ各フックボルト30に下地取付サドル12を装着した後、２段目の縦下地材40を配置・固定していく。
この際、縦下地材40の上端側は、図５に示した通り、下地取付サドル12の第２の平板部17に載置した後、それぞれの貫通孔45, 20間をロックリベット46で固定することにより、下地取付サドル12に連結される。
【００３５】
これに対し、縦下地材40の下端側については、図１１に示す通り、１段目の縦下地材40の上端側に２段目の縦下地材40の下端側を重ね合わせ、テクスビス56を介してそれぞれの取付縁部44, 44間を連結することにより、固定される。
【００３６】
つぎに、図示は省略したが、一定の間隔を置いて横方向に並列配置された２段目の縦下地材40上に、定尺横葺き屋根材50が載置・固定される。
【００３７】
この２段目の縦下地材40をスレート屋根10上に配置固定し、その上に横葺き屋根材50を配置固定する作業は、１段目の縦下地材40の上を覆う横葺き屋根材50に乗って行われるため、特別のセイフティシートを設置しなくても、作業者の踏み抜き事故を有効に防止することができる。
【００３８】
以上の各工程（複数のフックボルト30に下地取付サドル12を装着する工程、これらと下段に位置する縦下地材40の上端との間に上段を構成する縦下地材40を配置固定する工程、それらの上に横葺き屋根材50を配置固定する工程）を繰り返すことにより、スレート屋根10の全域に定尺横葺き屋根材50を敷き詰めることが可能となる。
【図面の簡単な説明】
【００３９】
【図１】スレート屋根の表面に下地取付サドル及びジョイナーを配置した状態を様子を示す斜視図である。
【図２】下地取付サドルを示す斜視図である。
【図３】下地取付サドルをスレート屋根のフックボルトに接続する様子を示す斜視図である。
【図４】下地取付サドル間に一段目の縦下地材を配置した状態を示す斜視図である。
【図５】下地取付サドルに縦下地材の上端側を接続する様子を示す斜視図である。
【図６】一段目の縦下地材間に定尺横葺き屋根材を配置した状態を示す斜視図である。
【図７】定尺横葺き屋根材を配置・固定する様子を示す拡大図である。
【図８】スレート屋根の上に下地取付サドル、縦下地材及び定尺横葺き屋根材が固定される様子を示す拡大図である。
【図９】隣接する一対の定尺横葺き屋根材の端部が、それぞれジョイナーの受け板に当接している様子を示す拡大図である。
【図１０】スレート屋根上に、２段目の縦下地材を配置する様子を示す斜視図である。
【図１１】１段目の縦下地材の上端側に２段目の縦下地材の下端側を重ね合わせて連結する様子を示す斜視図である。
【符号の説明】
【００４０】
10    スレート屋根
12    下地取付サドル
14    ジョイナー
15    下地取付サドルの脚部
16    第１の平板部
19    貫通孔
30    フックボルト
31    プッシュナット
32    母屋
35    足場
40    縦下地材
42    上板
43    側板
44    取付縁部
45    貫通孔
46    ロックリベット
50    定尺横葺き屋根材
【図１】
2017227082.tif 000003
【図２】
2017227082.tif 000004
【図３】
2017227082.tif 000005
【図４】
2017227082.tif 000006
【図５】
2017227082.tif 000007
【図６】
2017227082.tif 000008
【図７】
2017227082.tif 000009
【図８】
2017227082.tif 000010
【図９】
2017227082.tif 000011
【図１０】
2017227082.tif 000012
【図１１】
2017227082.tif 000013